(57)【要約】【課題】パッケージの厚さにかかわらずパッケージの位置決めが可能で、かつパッケージを押し付けるプレッシャーパッドのパッケージに接する側の端面の形状が複雑化することのないパッケージガイドを提供する。【解決手段】パッケージ載置面１１ａを有するベース部１１と、パッケージ６０を規定位置に位置決めするガイド部材１２とを備え、ガイド部材１２はベース部１１に対して昇降自在に設けられており、かつベース部１１のパッケージ載置面１１ａから突出する向きに付勢されている。【選択図】図１
2019117125.tif 000002
【特許請求の範囲】
【請求項１】
パッケージ載置面を有するベース部と、
前記パッケージを規定位置に位置決めするガイド部材と、を備え、
前記ガイド部材は前記ベース部に対して昇降自在に設けられており、かつベース部の前記パッケージ載置面から突出する向きに付勢されていることを特徴とするパッケージガイド。
【請求項２】
前記ガイド部材は複数個のガイド体の組からなり、各ガイド体はそれぞれ前記ベース部に対して昇降自在で、かつベース部のパッケージ載置面から突出する向きに付勢されていることを特徴とする請求項１に記載のパッケージガイド。
【請求項３】
前記複数個のガイド体は前記パッケージと向き合う内壁面が上方に向かって拡がったテーパー面であり、各ガイド体はテーパー面と平行に昇降自在であることを特徴とする請求項２に記載のパッケージガイド。
【発明の詳細な説明】
【技術分野】
【０００１】
本発明は、半導体素子等を含んでパッケージングされた電気部品の電気的特性を検査するための電気部品検査用ソケット等に用いられるパッケージガイドに関する。
【背景技術】
【０００２】
図１２乃至図１６は一般的なパッケージガイドの従来例１の構成を示す。これらの図に示すように、パッケージガイド５０は、パッケージ載置面５１ａを有するベース部５１と、パッケージ６０をガイドし、位置決めするガイド部材５２とを備え、パッケージ６０を規定の位置に収納するための収納凹部５３を形成している。収納凹部５３の内壁（底面から立ち上がった内側の側壁）の高さは、高ければ高いほど、パッケージ６０の収納時においてパッケージ６０の隅を内壁に当てやすく、パッケージ６０を規定の位置に収納し易い。なお、パッケージ６０がパッケージガイド５０の収納凹部５３内の規定の位置に収納された状態では、ベース部５１側のコンタクトピン（図示省略）がパッケージ側の電極と接触するようになっている。なお、コンタクトピンを有するベース部５１は、例えば電気部品検査用ソケットの本体部分を構成してもよい。
【０００３】
パッケージガイド５０の収納凹部５３に収納され、規定の位置に位置決めされたパッケージ６０の検査を行う際、パッケージ６０の上方に位置するプレッシャーパッド（別名：プッシャー）７０によって、ベース部５１に対してパッケージ６０を図１３及び図１４の順で下方向に押し付けることになる。この場合、パッケージガイド５０の収納凹部５３の内壁の高さがパッケージ６０より高い場合には、プレッシャーパッド７０のパッケージ６０と接触する側の端面７０ａは、図１４のようにパッケージ６０の上面よりも狭いことが必須となる。さもないと、図１５及び図１６の端面７０ａが広い場合に示すように、プレッシャーパッド７０の端面７０ａがパッケージガイド５０のガイド部材５２に先に当たり、それより下に降りず、パッケージ６０を直接押すことができない。
【０００４】
このため、従来は、図１７及び図１８の従来例２に示すように、パッケージガイド５０のガイド部材５２の高さを低くすることで、上記事象に対応していた。しかしながら、パッケージ６０の厚さが薄くなると、それに伴いパッケージガイド５０の高さも非常に低くなってしまう。これによりパッケージガイド５０の収納凹部５３の内壁を有効に活用できず、パッケージ６０の収納が困難となる。その理由は、図１８に示すように、ベース部５１のパッケージ載置面５１ａからコンタクトピン５５が突出しており、パッケージ６０が収納凹部５３の内壁に当たる前にパッケージ６０の底面（電極配置面）にコンタクトピン５５が接触する場合が発生するからである。
【０００５】
さらに、図１９の従来例３のように、パッケージガイド５０に複数の収納凹部５３を設け、複数の収納凹部５３にそれぞれ収納位置決めされたパッケージ６０を、一つのプレッシャーパッド８０でベース部５１のパッケージ載置面５１ａに向けて押すことが一般的となってきているが、プレッシャーパッド８０の端面８０ａ側にガイド部材５２の高さを回避するための凹溝８１が必要となり、プレッシャーパッド８０の形状が、非常に複雑となり製作が困難となっている。
【先行技術文献】
【特許文献】
【０００６】
【特許文献１】特開２０１３−１５２１６２号公報  特許文献１はパッケージよりも十分高い内壁の収納凹部を有するパッケージガイドに相当する部材を開示している。
【発明の概要】
【発明が解決しようとする課題】
【０００７】
本発明はこうした状況を認識してなされたものであり、その目的は、パッケージの厚さにかかわらずパッケージの位置決めが可能で、かつパッケージを押し付けるプレッシャーパッドの形状が複雑化することのないパッケージガイドを提供することにある。
【課題を解決するための手段】
【０００８】
本発明のある態様はパッケージガイドである。このパッケージガイドは、パッケージ載置面を有するベース部と、前記パッケージを規定位置に位置決めするガイド部材と、を備え、
前記ガイド部材は前記ベース部に対して昇降自在に設けられており、かつベース部の前記パッケージ載置面から突出する向きに付勢されていることを特徴とする。
【０００９】
前記ガイド部材は複数個のガイド体の組からなり、各ガイド体はそれぞれ前記ベース部に対して昇降自在で、かつベース部のパッケージ載置面から突出する向きに付勢された構成でもよい。
【００１０】
前記複数個のガイド体は前記パッケージと向き合う内壁面が上方に向かって拡がったテーパー面であり、各ガイド体はテーパー面と平行に昇降自在な構成でもよい。
【００１１】
なお、以上の構成要素の任意の組合せ、本発明の表現を方法やシステムなどの間で変換したものもまた、本発明の態様として有効である。
【発明の効果】
【００１２】
本発明に係るパッケージガイドによれば、パッケージを規定位置に位置決めするガイド部材はベース部のパッケージ載置面に対して昇降自在に設けられており、かつパッケージ載置面から突出する向きに付勢されているから、パッケージの位置決めの際は十分な高さでパッケージを確実に位置決め可能であり、プレッシャーパッドでパッケージをパッケージ載置面に押し付けるときには、プレッシャーパッドの動作の妨げとならないように高さが低下可能である。このため、プレッシャーパッドの形状がガイド部材の高さ、間隔に制約されず、複雑化することがない。
【図面の簡単な説明】
【００１３】
【図１】本発明に係るパッケージガイドの実施の形態１であって、パッケージをベース部に押し付ける前の状態を示す概略正面図。
【図２】同じく、パッケージをベース部に押し付けた状態を示す概略正面図。
【図３】実施の形態１において、ガイド部材の突出状態を示す要部拡大断面図。
【図４】同じく、ガイド部材の引き込み状態を示す要部拡大断面図。
【図５】本発明に係るパッケージガイドの実施の形態２であって、パッケージをベース部に押し付ける前の状態を示す概略正面図。
【図６】同じく、パッケージをベース部に押し付けた状態を示す概略正面図。
【図７】実施の形態２におけるガイド部材の配置を示す平面図。
【図８】実施の形態２において、ガイド部材の突出状態を示す要部拡大断面図。
【図９】同じく、ガイド部材の引き込み状態を示す要部拡大断面図。
【図１０】本発明に係るパッケージガイドの実施の形態３であってガイド部材の配置を示す平面図。
【図１１】本発明に係るパッケージガイドの実施の形態４であってガイド部材の配置を示す平面図。
【図１２】一般的なパッケージガイドである従来例１であって、パッケージを収納する過程を示す概略正面図。
【図１３】同じく、パッケージ収納後でパッケージをベース部に押し付ける前の状態を示す概略正面図。
【図１４】同じく、パッケージをベース部に押し付けた状態を示す概略正面図。
【図１５】従来例１において、パッケージガイドに対してプレッシャーパッドが不適合である場合であって、パッケージをベース部に押し付ける前の状態を示す概略正面図。
【図１６】同じく、プレッシャーパッド降下時にパッケージをベース部に押し付けることができないことを示す概略正面図。
【図１７】従来例２のパッケージガイドにおいて、パッケージを収納した状態を示す概略正面図。
【図１８】同じく、パッケージガイドの高さが低くてパッケージ収納時にパッケージガイド内壁を有効に利用できない可能性のある場合を示す概略正面図。
【図１９】従来例３において、複数の収納凹部を有するパッケージガイドと、これに対応するプレッシャーパッドを示す概略正面図。
【発明を実施するための形態】
【００１４】
以下、図面を参照しながら本発明の好適な実施の形態を詳述する。なお、各図面に示される同一または同等の構成要素、部材、処理等には同一の符号を付し、適宜重複した説明は省略する。また、実施の形態は発明を限定するものではなく例示であり、実施の形態に記述されるすべての特徴やその組み合わせは必ずしも発明の本質的なものであるとは限らない。
【００１５】
図１乃至図４で本発明に係るパッケージガイドの実施の形態１を説明する。これらの図に示すように、パッケージガイド１は、パッケージ載置面１１ａを有するベース部１１と、パッケージ６０をガイドし、位置決めするガイド部材１２とを備えており、ガイド部材１２はベース部１１に対して昇降自在（突出、引き込み自在）に設けられていて、ベース部１１のパッケージ載置面１１ａから突出する向きに付勢されている。ガイド部材１２の平面形状は例えば略方形枠状である。そして、ベース部１１とガイド部材１２とによってパッケージ６０を規定の位置に収納するための収納凹部１３を形成している。なお、図３及び図４に示すコンタクトピン１５を有するベース部１１は、例えば電気部品検査用ソケットの本体部分を構成してもよい。ベース部１１及びガイド部材１２は例えば樹脂等で形成されている。
【００１６】
図３及び図４はガイド部材１２をベース部１１のパッケージ載置面１１ａから突出する向きに付勢する具体的構成を示す。ベース部１１はガイド部材配置凹部１１ｂを有し、ガイド部材１２はガイド部材配置凹部１１ｂによってパッケージ載置面１１ａに対して垂直に摺動自在に保持されている。ガイド部材配置凹部１１ｂの底面とガイド部材１２の底面間にガイド部材１２を突出方向に付勢するばね、ゴム等の弾性体１４が配置されている。ガイド部材１２には抜け防止のために横幅の広くなったストッパ部１２ａが形成されている。なお、ベース部１１はガイド部材１２の抜け防止構造等を容易に形成可能とするために、複数の部材の組み合わせであってもよい。
【００１７】
パッケージ６０がパッケージガイド１の収納凹部１３内の規定の位置に収納された状態では、ベース部１１側のコンタクトピン１５がパッケージ６０底面側の電極６１と接触可能な位置関係となる。
【００１８】
図１及び図３のように、樹脂又は金属製等のプレッシャーパッド７０でパッケージ６０をパッケージガイド１のパッケージ載置面１１ａに押し付ける前の状態では、ガイド部材１２の内壁（底面から立ち上がった内側の側壁）の高さはパッケージ６０の厚み以上に十分な高さとなっている。このため、パッケージ６０の位置決めの際はガイド部材１２は十分な高さでパッケージ６０を確実かつ容易に収納凹部１３の規定位置に位置決め可能である。
【００１９】
パッケージガイド１でパッケージ６０を位置決め後、図２及び図４のようにプレッシャーパッド７０を降下させると、プレッシャーパッド７０のパッケージ６０と接触する側の端面（下面）７０ａがパッケージ６０の平面形状よりも大きい場合であってもガイド部材１２もプレッシャーパッド７０と共に降下するため、プレッシャーパッド７０で支障なくパッケージ６０をベース部１１のパッケージ載置面１１ａに押し付けて、パッケージ６０底面側の電極６１をベース部１１側のコンタクトピン１５に接触させることができる。
【００２０】
本実施の形態によれば、下記の効果を奏することができる。
【００２１】
(1) パッケージガイド１において、パッケージ６０を規定位置に位置決めするガイド部材１２はベース部１１のパッケージ載置面１１ａに対して昇降自在に設けられており、かつパッケージ載置面１１ａから突出する向きに付勢されているから、パッケージ６０の厚さにかかわらずパッケージ６０の位置決めの際は十分な高さでパッケージ６０を確実に位置決め可能である。また、プレッシャーパッド７０でパッケージ６０をパッケージ載置面１１ａに押し付けるときには、プレッシャーパッド７０の動作の妨げとならないように高さが低下可能である。このため、プレッシャーパッド７０のパッケージ６０に接する側の端面７０ａの形状がガイド部材１２の高さ、間隔に制約されず、複雑化することがない。
【００２２】
(2) 図１９の従来例３のように、パッケージガイド１が複数の収納凹部１３を有する場合であっても、ガイド部材１２を昇降自在とすることでプレッシャーパッド７０で複数の収納凹部１３内に位置決めされたパッケージ６０を同時にベース部１１のパッケージ載置面１１ａに押し付けることができる。
【００２３】
図５乃至図９で本発明に係るパッケージガイドの実施の形態２を説明する。これらの図に示すように、パッケージガイド２は、パッケージ載置面２１ａを有するベース部２１と、パッケージ６０をガイドし、位置決めするガイド部材２２とを備えるが、ガイド部材２２はパッケージ６０の側面と向き合う内壁面が上方に向かって拡がったテーパー面３０となっている。具体的には、ガイド部材２２は例えば図７の平面図に示すように４分割されたガイド体２２Ａ〜２２Ｄの組からなり、各ガイド体２２Ａ〜２２Ｄはそれぞれパッケージ６０の側面と向き合う内壁面が上方に向かって拡がったテーパー面３０であるとともにベース部２１に対して昇降自在で、かつベース部２１のパッケージ載置面２１ａから突出する向きに付勢されている。そして、ベース部２１とガイド部材２２（４分割されたガイド体２２Ａ〜２２Ｄの組）とによってパッケージ６０を規定の位置に収納するための収納凹部２３を形成している。各ガイド体２２Ａ〜２２Ｄはテーパー面３０と平行に昇降自在とすることで、パッケージ載置面２１ａにおける一対のガイド体２２Ａ，２２Ｂの間隔、及びもう一対のガイド体２２Ｃ，２２Ｄの間隔は各ガイド体２２Ａ〜２２Ｄの昇降に伴って変動しない。
【００２４】
図８及び図９はガイド部材２２を構成しているガイド体２２Ａ〜２２Ｄをベース部２１のパッケージ載置面２１ａから突出する向きに付勢する具体的構成を示す。ベース部２１はガイド体配置凹部２１ｂを有し、各ガイド体２２Ａ〜２２Ｄはガイド体配置凹部１１ｂによってパッケージ載置面２１ａに対してテーパー面３０に平行な向きに摺動自在に保持されている。ガイド体配置凹部２１ｂの底面とガイド体２２Ａ〜２２Ｄの底面間にガイド体２２Ａ〜２２Ｄを突出方向に付勢するばね、ゴム等の弾性体２４がそれぞれ配置されている。各ガイド部体２２Ａ〜２２Ｄには抜け防止のために横幅の広くなったストッパ部３１が形成されている。
【００２５】
パッケージ６０がパッケージガイド２の収納凹部２３内の規定の位置に収納された状態では、ベース部２１側のコンタクトピン１５がパッケージ６０底面側の電極６１と接触可能な位置関係となる。
【００２６】
図５及び図８のように、プレッシャーパッド７０でパッケージ６０をパッケージガイド２のパッケージ載置面２１ａに押し付ける前の状態では、ガイド部材２２（４分割されたガイド体２２Ａ〜２２Ｄの組）の高さはパッケージ６０の厚み以上に十分な高さとなっている。このため、パッケージ６０の位置決めの際はガイド部材２２は十分な高さでパッケージ６０を確実かつ容易に収納凹部２３の規定位置に位置決め可能である。
【００２７】
パッケージガイド２でパッケージ６０を位置決め後、図６及び図９のようにプレッシャーパッド７０を降下させると、プレッシャーパッド７０のパッケージ６０と接触する側の端面７０ａがパッケージ６０の幅よりも大きい場合であってもガイド部材２２（４分割されたガイド体２２Ａ〜２２Ｄの組）もプレッシャーパッド７０と共に降下するため、プレッシャーパッド７０で支障なくパッケージ６０をベース部２１のパッケージ載置面２１ａに押し付けて、パッケージ６０底面側の電極６１をベース部２１側のコンタクトピン１５に接触させることができる。その際、各ガイド体２２Ａ〜２２Ｄはテーパー面３０と平行に降下するため、パッケージ載置面２１ａにおける相互に対向する一対のガイド体２２Ａ，２２Ｂの間隔、及び相互に対向するもう一対のガイド体２２Ｃ，２２Ｄの間隔は各ガイド体２２Ａ〜２２Ｄの降下に伴って変動せず、位置決め精度は低下しない。
【００２８】
この実施の形態２のパッケージガイド２によれば、ガイド部材２２（４分割されたガイド体２２Ａ〜２２Ｄの組）は、パッケージ６０と向き合う内壁面が上方に向かって拡がったテーパー面３０であるため、パッケージ６０を収納凹部２３内に落とし込んで収納する作業が容易となる。また、各ガイド体２２Ａ〜２２Ｄはテーパー面３０と平行に昇降するため、パッケージ載置面２１ａにおけるガイド体２２Ａ〜２２Ｄの昇降動作に伴うガイド体同士の間隔が変動せず、所要の位置決め精度を確保できる。その他の構成、作用効果は前述の実施の形態１と同様である。
【００２９】
図１０は本発明の実施の形態３であって、パッケージガイド３におけるガイド部材３２の配置を示す平面図である。この場合、ガイド部材３２は２分割され、相互に対向する一対のガイド体３２Ａ，３２Ｂで構成され、ガイド体３２Ａ，３２Ｂで囲まれた内側がパッケージ６０を収納位置決めする収納凹部３３となる。その他の構成は前述の実施の形態１と同様で、同様の作用効果が得られる。
【００３０】
図１１は本発明の実施の形態４であって、パッケージガイド４におけるガイド部材４２の配置を示す平面図である。この場合、ガイド部材４２は６本の柱状ガイド体４２Ａ〜４２Ｆで構成され、柱状ガイド体４２Ａ〜４２Ｆで囲まれた内側がパッケージ６０を収納位置決めする収納部４３となる。その他の構成は前述の実施の形態１と同様で、同様の作用効果が得られる。
【００３１】
以上、実施の形態を例に本発明を説明したが、実施の形態の各構成要素や各処理プロセスには請求項に記載の範囲で種々の変形が可能であることは当業者に理解されるところである。以下、変形例について触れる。
【００３２】
本発明の実施の形態３ではガイド部材が２個のガイド体で構成される場合を例示したが、ガイド部材が３個以上に分割された３個以上のガイド体で構成されてもよい。また、各ガイド体は本発明の実施の形態１のようにパッケージ載置面に対し垂直に昇降してもよいし、各ガイド体がパッケージ載置面に対して傾斜したテーパー面を有する場合には実施の形態２のようにテーパー面と平行な方向に昇降する構成としてもよい。
【符号の説明】
【００３３】
１，２，３，４，５０  パッケージガイド
１１，２１，５１  ベース部
１１ａ，２１ａ，５１ａ  パッケージ載置面
１１ｂ，２１ｂ  ガイド部材配置凹部
１２，２２，３２，４２，５２  ガイド部材
１３，２３，３３，５３  収納凹部
１４，２４  弾性体
１５，５５  コンタクトピン
２２Ａ〜２２Ｄ，３２Ａ，３２Ｂ，４２Ａ〜４２Ｆ  ガイド体
３０  テーパー面
４３  収納部
７０，８０  プレッシャーパッド
【図１】
2019117125.tif 000003
【図２】
2019117125.tif 000004
【図３】
2019117125.tif 000005
【図４】
2019117125.tif 000006
【図５】
2019117125.tif 000007
【図６】
2019117125.tif 000008
【図７】
2019117125.tif 000009
【図８】
2019117125.tif 000010
【図９】
2019117125.tif 000011
【図１０】
2019117125.tif 000012
【図１１】
2019117125.tif 000013
【図１２】
2019117125.tif 000014
【図１３】
2019117125.tif 000015
【図１４】
2019117125.tif 000016
【図１５】
2019117125.tif 000017
【図１６】
2019117125.tif 000018
【図１７】
2019117125.tif 000019
【図１８】
2019117125.tif 000020
【図１９】
2019117125.tif 000021